(57)【要約】      （修正有）【課題】簡単な構造で、製造が容易であり、通常のベースボタンを付け替え作業なしにメタルボタン調のものに変えることのできるボタンカバーを提供する。【解決手段】ボタンへ着脱可能に取り付けられる装飾用のボタンカバーであって、下部に内部へ収納させたボタンを係止する係止部を設けたリング状のカバー本体１１と、このカバー本体の上部を覆うように取り付けられた表面に装飾を施した蓋体１２とから構成されたことを特徴とする。前記係止部は複数又は単数の係止突部１１ｇで構成されることが望ましい。カバー本体へ蓋体を取り付けるに当たっては、嵌め殺し手段を用いることが推奨される。前記カバー本体の下端縁の少なくとも１箇所に切欠き１１ｉを形成したり、更には、カバー本体の上端縁の少なくとも１箇所に切欠き１１ｋを形成するようにしてもよい。【選択図】図２
0003164041.tif 000002
【実用新案登録請求の範囲】
【請求項１】
ボタンへ着脱可能に取り付けられる装飾用のボタンカバーであって、下部に内部へ収納させたボタンを係止する係止部を設けたリング状のカバー本体と、このカバー本体の上部を覆うように取り付けられた表面に装飾を施した蓋体と、から構成されたことを特徴とする、ボタンカバー。
【請求項２】
前記係止部が複数又は単数の係止突部でなることを特徴とする、請求項１に記載のボタンカバー。
【請求項３】
カバー本体へ蓋体を取り付けるに当たり、嵌め殺し手段を用いたことを特徴とする、請求項１又は２に記載のボタンカバー。
【請求項４】
前記リング状のカバー本体が硬質プラスティックで作製されたことを特徴とする、請求項１〜３のいずれか１項に記載のボタンカバー。
【請求項５】
前記リング状のカバー本体が半軟質プラスティックで作製されたことを特徴とする、請求項１〜３のいずれか１項に記載のボタンカバー。
【請求項６】
前記リング状のカバー本体の下端縁の少なくとも１箇所に切欠きを形成したことを特徴とする、請求項１〜５のいずれか１項に記載のボタンカバー。
【請求項７】
前記リング状のカバー本体の上端縁の少なくとも１箇所に切欠きを形成したことを特徴とする、請求項１〜６のいずれか１項に記載のボタンカバー。
【請求項８】
前記蓋体が金属で作製されたことを特徴とする、請求項１〜７のいずれか１項に記載のボタンカバー。
【請求項９】
前記蓋体が硬質プラスティックで作製されたことを特徴とする、請求項１〜７のいずれか１項に記載のボタンカバー。
【請求項１０】
硬質プラスティックで作製された前記蓋体にメッキ処理が施されたことを特徴とする、請求項９に記載のボタンカバー。
【請求項１１】
前記蓋体に凹凸模様が形成されたことを特徴とする、請求項１〜１０のいずれか１項に記載のボタンカバー。
【考案の詳細な説明】
【技術分野】
【０００１】
本考案は、衣服に縫い付けられている既存のボタンにかぶせて使用する着脱可能なボタンカバーに関する。
【背景技術】
【０００２】
衣服のボタンは、ファッション上きわめて重要な役割を果たすものであり、同じ衣服でもボタンが異なれば全く別の印象を与えることがある。
そのため、同じ衣服を効率よく着こなすために、ＴＰＯに応じてボタンを交換できれば便利であるが、例えばジャケットなどには前ボタンと袖ボタンを合わせて１０〜１５個程のボタンが付いており、これらをすべて付け替えることは多大の労力を必要とするため、現実には殆ど行われていない。
【０００３】
そのような問題を解決するため、下記の特許文献に開示されているようなボタンカバー等が提案されている。
特許文献１〜４に記載のものは、いずれも、衣服に縫い付けられている既存の通常のボタン（本明細書において「ベースボタン」という。）にかぶせて使用するボタンカバーであるが、それらのボタンカバーを取り付けたままでは衣服のボタン孔を通すことができないため、衣服を着たり脱いだりする際には取り外しておき、衣服を着てから取り付けなければならないため、同じボタンカバーを続けて使用する場合には面倒であった。
また、特許文献１のものは、使用中に外れ易かったり、見る角度によってはボタンカバーであることが容易に判別でき、正装には向かないという問題がある。
特許文献２〜４のものは、ベースボタンの縫い付け糸で支持されるようになっており、縫い付け糸の導入部を有するが、縫い付け糸の位置はその導入部に沿って移動するため、ボタンカバーの中心がベースボタンの中心から大きく変位して、ベースボタンを完全に隠すことができないことがあり、見苦しくなるという問題がある。
特許文献３のものは、部品数が多く、製造コストが高くなるという問題もある。
【０００４】
次に、特許文献５に記載のものは、１枚の金属箔又は金属薄板からなるボタンカバーであり、一種の使い捨てとしてしか使用できず、反復使用には向かないという問題がある。
更に、特許文献６及び７に記載のものは、いずれも、衣服に縫い付けられるベースボタンとしてのパーツと、これに交換可能に着脱されるボタンカバーとしてのパーツとがセットになって構成され、ベースボタン側のパーツにはボタンカバー側のパーツを交換可能に取り付けるための構造が施されているため、衣服に既に縫い付けられている既存の通常のボタンに取り付けることはできないという問題がある。
更にまた、特許文献８には、各種各様のボタンカバーが開示されているが、ベースボタンから外れやすかったり、ボタンカバーを取り付けるためのネジ孔等を設けた専用のベースボタンにしか取り付けられなかったり、構造が複雑であったり、等々、いずれも問題があった。
【先行技術文献】
【特許文献】
【０００５】
【特許文献１】実開平５−９３０６号公報
【特許文献２】登録第２５１３０８９号実用新案公報
【特許文献３】特開平２００９−２０７８４２号公報
【特許文献４】登録第３０５１９０９号実用新案公報
【特許文献５】登録第３００３６８７号実用新案公報
【特許文献６】特開平９−２３８７１０号公報
【特許文献７】実開平６−９５０８号公報
【特許文献８】実開平６−５２５１４号公報
【考案の概要】
【考案が解決しようとする課題】
【０００６】
本考案は上記の各種問題点を解決するためになされたものであり、その目的とするところは、簡単な構造で、製造が容易であるため安価に提供でき、装着作業も容易で、既存の通常のベースボタンに対して安定して保持され、外観も正規のボタンと変わらない、等々、多くの利点を有するボタンカバーを提供することにある。特に、通常の衣服に付いている４穴や２穴のボタンを、ボタンの付け替え作業なしに、メタルボタン調のものに変えるのに好適なボタンカバーを提供することが本考案の一つの主要な課題である。
【課題を解決するための手段】
【０００７】
上記した目的を達成するため、本考案に係るボタンカバーは、ボタンへ着脱可能に取り付けられる装飾用のボタンカバーであって、下部に内部へ収納させたボタンを係止する係止部を設けたリング状のカバー本体と、このカバー本体の上部を覆うように取り付けられた表面に装飾を施した蓋体と、から構成されたことを特徴とする。
【０００８】
前記係止部は、望ましくは複数又は単数の係止突部で構成される。
また、カバー本体へ蓋体を取り付けるに当たっては、嵌め殺し手段を用いることが推奨される。
【０００９】
前記リング状のカバー本体は好適には硬質プラスティックや半軟質プラスティックで作製される。
また、必要に応じて、前記カバー本体の下端縁の少なくとも１箇所に切欠きを形成したり、更には、カバー本体の上端縁の少なくとも１箇所に切欠きを形成することが推奨される。
【００１０】
また、前記蓋体は、金属若しくは硬質プラスティックで作製されることが望ましい。
硬質プラスティックで作製された蓋体をメタルボタン調にする場合には、これにメッキ処理を施すようにするとよい。
前記蓋体の装飾として、通常は、表面に凹凸模様を形成し、硬質プラスティック製の場合には、凹凸模様の表面にメッキ処理を施すようにするとよい。
【考案の効果】
【００１１】
本考案に係るボタンカバーは上記の如く構成されるため、簡単な構造で、製造が容易であり、ベースボタンに押し嵌めるだけの簡単な操作で装着でき、装着可能なボタンは専用のものではなく既存のボタンに対して装着でき、装着後は容易に外れることなく安定して保持され、また、本考案のボタンカバーをベースボタンに装着したままで衣服を着たり脱いだりすることができ、外観も正規のボタンと変わらない、等々、多くの利点を有するボタンカバーを提供し得るものである。
また、本考案のボタンカバーの前記蓋体を金属で作製したり、その装飾面に金属色のメッキを施すことにより、通常の衣服に付いている４穴や２穴のボタンを、ボタンの付け替え作業なしに、メタルボタン調のものに変えることが可能となるものである。
【図面の簡単な説明】
【００１２】
【図１】本考案の一実施例に係るボタンカバーを、衣服に縫い付けられたベースボタンに嵌め合わせる状態を示す斜視図である。
【図２】本考案の第１の形態に係るボタンカバーの縦断面図である。
【図３】図２に示したボタンカバーの下端開口部の構成を示す図２中III-III線に沿った断面図である。
【図４】図２に示したボタンカバーをベースボタンに取り付けた状態を示す縦断面図である。
【図５】本考案の第２の形態に係るボタンカバーの縦断面図である。
【図６】本考案に係るボタンカバーの蓋体に施される模様の例を示す平面図である。
【考案を実施するための形態】
【００１３】
以下に本考案に係るボタンカバーの好ましい実施例を図面に基いて説明するが、本考案はそれらの実施例に限定されるものではない。
【００１４】
図１には、衣服３に縫い付けられたベースボタン２に、本考案に係るボタンカバー１を装着する状態が示されている。
本考案に係るボタンカバー１は、ベースボタン２に着脱可能なよう嵌め合わせられ、その嵌め合わせられた状態を維持する機能を有するリング状のカバー本体１１と、ファッション上重要なボタンの上面を形成し、所望の装飾模様等が施される蓋体１２とを結合することにより作製されるようになっている。
【００１５】
その具体的な構成を、本考案の第１の形態に係るボタンカバーの縦断面図を示す図２と、図２中III-III線に沿った断面図を示す図３により説明する。
なお、以下の説明においては、衣服に既に縫い付けられているベースボタンとしては、紳士用ジャケット等の前ボタンとして通常用いられる直径２０ｍｍのものを代表例として説明するが、本考案のボタンカバーはそれ以外のサイズのボタンに装着可能なものも設計、製作し得るものである。
【００１６】
ボタンカバー１のリング状のカバー本体１１は、キャップすべきベースボタン２に嵌め合わせられる部分であり、その胴部１１ａの内径はベースボタン２の外径以上となるように形成され、ベースボタン２が胴部１１ａの内部に収容され得るようになっている。例えば、ベースボタン２の外径が２０ｍｍである場合には、胴部１１ａの内径Ｐ（図３参照）は２１ｍｍ程度に設定される。
リング状のカバー本体１１の下端開口部１１ｆは、胴部１１ａの下端近くの内周面に沿って胴部１１ａと一体的に形成された環状凸条１１ｅによって形成されるようになっており、当該下端開口部１１ｆの内径Ｑは、ベースボタン２を通過させ得るようにベースボタン２の外径と略等しく例えば２０ｍｍ程度に形成されている。更に、リング状のカバー本体１１の下端開口部１１ｆの内周面、即ち、前記環状凸条１１ｅの内周面には、一旦嵌め合わせられたベースボタン２からカバー本体１１が容易に離脱しないように、図３に示すように、内側へ向けて突出する複数の微小な係止突部１１ｇが環状凸条１１ｅと一体的に形成されている。
【００１７】
リング状のカバー本体１１の下端開口部１１ｆの内周面に形成される前記係止突部１１ｇの数は特定はされないが、ベースボタン２に対する安定した定位機能及び離脱防止機能の観点から、４〜３０個程度の範囲内に設定することが望ましい。
また、係止突部１１ｇの突出量は、カバー本体１１の材質の硬軟の程度にもよるが、図３に示した実施例の場合、外径２０ｍｍのベースボタンに取り付ける場合において、前記下端開口部１１ｆの内径Ｑを２０ｍｍとした場合において、対向する係止突部１１ｇ間の距離Ｒを約１９．６ｍｍ、即ち、各係止突部１１ｇの突出量をおよそ０．２ｍｍとするものである。
【００１８】
なお、前記リング状のカバー本体１１の材質は、硬質プラスティックであっても、半軟質プラスティックであっても差し支えない。
ジュラコン（ポリプラスティックス社登録商標）やナイロン等の軟質もしくは半軟質プラスティックの場合は、ベースボタン２に着脱する際に係止突部１１ｇやカバー本体１１自体が撓んでベースボタン２への着脱が可能となる。
カバー本体１１の材質が硬質プラスティックの場合であっても、カバー本体１１や係止突部１１ｇの厚さが薄い場合にはそれらが撓んでベースボタン２への着脱が可能であるが、カバー本体１１が比較的肉厚の硬質プラスティックの場合には、図２に示す如く、カバー本体１１の下端縁の少なくとも１箇所に切欠き１１ｉを形成したり、それでも不十分な場合には、更に、カバー本体１１の上端縁の少なくとも１箇所に切欠き１１ｋを形成することが推奨される。
これらの切欠きの数はカバー本体１１の強度等により増減されるが、通常は下端縁及び／又は上端縁のそれぞれについて２〜１０個の範囲内で適宜選択、決定される。
また、各切欠きのサイズについても、カバー本体１１の強度等により調整される。
【００１９】
一方、リング状のカバー本体１１の上端開口部１１ｂには、これを塞ぐように蓋体１２が取り付けられる。
蓋体１２は通常、真鍮等の金属もしくはＡＢＳ樹脂等の硬質プラスティックで作製される。
また、蓋体１２は、リング状のカバー本体１１に一旦嵌め合わせた後は取り外す必要がないため、接着剤で固定してもよいが、接着剤使用の手間等を省くため、一旦嵌め合わせた後は取り外し不可能な、いわゆる嵌め殺し形式の結合手段を用いることが望ましい。
そのため、図２中の拡大部分に示す如く、例えば、前記カバー本体１１の上端近くの外周面に沿って形成した環状凹溝１１ｃ及び環状凸部１１ｄと、前記蓋体１２の外周に沿って設けたカバー本体との嵌め合わせ用スカート部１２ｂの内周面に沿って形成した環状凹溝１２ｃ及び環状凸部１２ｄとを互いに係合せしめることにより、一旦嵌め合わせた後は取り外し不可能なように構成することが可能である。
なお、カバー本体１１の前記環状凹溝１１ｃ及び環状凸部１１ｄと、蓋体１２の前記環状凹溝１２ｃ及び環状凸部１２ｄとは、必ずしもカバー本体１１の上端近くの外周全体及び蓋体１２のスカート部１２ｂの内周全体に設ける必要はなく、断続的に数カ所に設けるようにしてもよい。
【００２０】
蓋体１２の装飾面１２ａはボタンカバー１の外観を形成する上で最も重要な役割を果たす部分であり、ブランド名やオリジナルの図柄等を入れることにより、ボタンカバー１のアッピール効果やファッション性を高めるようにすることが望ましい。
蓋体１２が金属で作製されている場合には、通常、プレス等により所望の凹凸模様を形成するようにする。
本考案のボタンカバーの主要な使用目的は、通常の服に付いている４穴や２穴の普通のボタンを、ボタンの付け替え作業なしに、メタルボタン調のものに変えることにあるので、その目的達成のため、蓋体１２を硬質プラスティックで作製した場合には、その装飾面１２ａの表面に凹凸により所望の模様を形成しておき、その上に金属色メッキを施すようにすることが望ましい。蓋体１２を透明な硬質プラスティックで作製した場合には、その装飾面１２ａの裏面に凹凸により所望の模様を形成しておき、その上に金属色メッキを施すようにすれば、表側からもその金属色による凹凸模様が視認できる。
装飾面１２ａに施す代表的な図柄もしくは模様としては、例えば、図６（ａ１）、（ａ２）に示すような獅子像をモチーフとしたものや、図６（ｂ１）、（ｂ２）に示すような剣像をモチーフとしたもの、図６（ｃ１）、（ｃ２）に示すような盾像をモチーフとしたものなどが挙げられる。図６（ａ１）、（ｂ１）、（ｃ１）は男性用ジャケット等の前ボタンとして通常用いられる直径２０ｍｍのベースボタン用のものであり、図６（ａ２）、（ｂ２）、（ｃ２）は袖用の一回り小さな直径１５ｍｍのベースボタン用のものである。
【００２１】
図４には、本考案に係るボタンカバー１をベースボタン２に嵌め合わせる状態が示されている。ボタンカバー１のリング状のカバー本体１１の胴部１１ａ内にベースボタン２が収容され、胴部１１ａの下端開口部１１ｆの前記複数の係止突部１１ｇによって、ベースボタン２からボタンカバー１が外れるのが防止されるようになっている。
【００２２】
図５には本考案の第２の形態に係るボタンカバーが示されている。
この第２の形態に係るボタンカバーが、図２に示した本考案の第１の形態に係るボタンカバーと相違する点は、リング状のカバー本体１１の下端開口部に、前記第１の形態における複数の係止突部１１を設けることなく、図５中に示す一連の環状の係止突部１１ｍのみによってベースボタンからの離脱を防止し得るように構成した点にある。
即ち、図５に示すボタンカバー１のカバー本体１１は、ジュラコン（登録商標）、ナイロン、ポリプロピレン等の軟質もしくは半軟質プラスティックで作製され、その撓みや弾性によって下端開口部１１ｎの内径がベースボタンの着脱時には拡大して、カバー本体１１の内外へのベースボタンの通過を許容するようになっている。
即ち、リング状のカバー本体１１の下端開口部１１ｎの内径は前記ベースボタン２の外径よりも僅かに小さく形成され、ベースボタンにボタンカバー１を装着するため両者を或る程度強い力で押し付けると、例えば、切欠き１１ｉ、１１ｋの部分などを中心にカバー本体１１が撓んで、環状の係止突部１１ｍの内周面により画成される下端開口部１１ｎの内径が拡がり、ベースボタンがカバー本体１１の胴部１１ａ内へ受け入れられるようになっている。
一旦胴部１１ａ内へ受け入れられたベースボタンは、環状の係止突部１１ｍの内径がベースボタン２の外径よりも僅かに小さく形成されているため、ボタンカバー１の取り外し時に強い力を加えない限りカバー本体１１から離脱することはなく、リング状のカバー本体１１内に安定して保持される。
なお、図５に示した例においては、環状の係止突部１１ｍは切欠き１１ｉにより２つに分断されているが、切欠き１１ｉを設けない場合には、一連の単数の環状の係止突部となり、これによっても本考案の目的を達成できる。
【００２３】
なお、本考案は上記実施例に限定されるものではない。
即ち、上述の説明では、リング状のカバー本体１１及び蓋体１２は円形のものとしたが、これらはベースボタンの形状に合わせて４角形、６角形、８角形等々の多角形状とすることも可能であり、或いはまた、カバー本体１１はベースボタンに嵌め合わせ可能な形状とし、蓋体１２についてはベースボタンとは異なった形状とすることも可能である。更にまた、本考案のボタンカバーは、ベースボタンとセットにして販売することも排除するものではない。
従って、本考案は、実用新案登録請求の範囲に記載の技術的範囲内において、上記の説明から当業者が容易に想到しうるすべての変更実施例を包摂するものである。
【産業上の利用可能性】
【００２４】
本考案は以上のように構成したので、本考案によるときは、簡単な構造で、製造が容易であるため安価に提供でき、装着作業も容易で、既存のベースボタンに対して安定して保持され、外観も正規のボタンと変わらず、また、通常のベースボタンを、ボタンの付け替え作業なしに、メタルボタン調のものに変えることができる、等々、多くの利点を有するボタンカバーを提供し得るものである。
【符号の説明】
【００２５】
１      本考案のボタンカバー
２      ベースボタン
３      衣服
１１    リング状のカバー本体
１１ａ  胴部
１１ｂ  上端開口部
１１ｃ  環状凹溝
１１ｄ  環状凸部
１１ｅ  環状凸条
１１ｆ  下端開口部
１１ｇ  係止突部
１１ｈ  下端縁
１１ｉ  切欠き
１１ｊ  上端縁
１１ｋ  切欠き
１１ｍ  環状の係止突部
１１ｎ  下端開口部
１２    蓋体
１２ａ  装飾面
１２ｂ  スカート部
１２ｃ  環状凹溝
１２ｄ  環状凸部
【図１】
0003164041.tif 000003
【図２】
0003164041.tif 000004
【図３】
0003164041.tif 000005
【図４】
0003164041.tif 000006
【図５】
0003164041.tif 000007
【図６】
0003164041.tif 000008